(57)【要約】【課題】遊技機の動作に関わる電気的制御を実行するための制御回路が設けられた基板を内包する基板ボックスを備えた遊技機において、アース効果を高める。【解決手段】基板（演出制御基板４４）に制御回路のグランドをなすグランド部４４ｆを備え、基板ボックス４１にグランド部４４ｆと対向する位置に導電性の材質からなるアース部（金属製の前面部材４３）を備える。さらに、グランド部４４ｆとアース部との間に、導電性を有するとともに弾性を有する接続部材５０を配設し、グランド部４４ｆとアース部とを接続部材５０を介して電気的に接続する。【選択図】図６
2008148732.tif 000002
【特許請求の範囲】
【請求項１】
遊技機の動作に関わる電気的制御を実行するための制御回路が設けられた基板を内包する基板ボックスを備えた遊技機において、
前記基板は、前記制御回路のグランドをなすグランド部を備え、
前記基板ボックスは、前記グランド部と対向する位置に導電性の材質からなるアース部を備え、
前記グランド部と前記アース部との間に、導電性を有するとともに弾性を有する接続部材を配設し、前記グランド部と前記アース部とを前記接続部材を介して電気的に接続するようにしたことを特徴とする遊技機。
【請求項２】
前記グランド部を前記基板の中央部に設けたことを特徴とする請求項１に記載の遊技機。
【請求項３】
前記接続部材は、四角柱状の弾性部材を導電性の被覆部材で被覆したものであり、
前記弾性部材の弾性力により前記被覆部材が前記アース部と前記グランド部とに接し、両者が前記接続部材を介して電気的に接続されることを特徴とする請求項１または２に記載の遊技機。
【請求項４】
前記接続部材は、前記アース部に接続する面と前記グランド部に接続する面との間に位置する一対の対向する面のそれぞれに、前記アース部に接続する面と前記グランド部に接続する面との中間にあって、前記アース部に接続する面と平行な直線状の屈曲部を有し、
前記接続部材が退縮する際に、該屈曲部が屈曲するとともに前記接続部材の中心側に向かって窪むことを特徴とする請求項３に記載の遊技機。
【請求項５】
前記接続部材は、前記弾性部材がウレタンフォームであり、前記被覆部材が導電性繊維であるガスケット用途の部材であることを特徴とする請求項３または４に記載の遊技機。
【発明の詳細な説明】
【技術分野】
【０００１】
本発明は、遊技機の動作に関わる電気的制御を実行するための制御回路が設けられた基板を内包する基板ボックスを備えた遊技機に関する。
【背景技術】
【０００２】
従来の基板ボックスは、上蓋に該当するカバー枠と下蓋からなり、内部に制御基盤を収納する構造になっている。また、制御基板のグランド部と電気的に導通させてアース効果を得るため、下蓋と基板の間にアース板を挟み込み、カバー枠、制御基板、アース板、下蓋に開設された各止着孔に金属製の止着部材を挿通させるように構成されている。
【特許文献１】実開昭６３−１０２４８４号公報
【発明の開示】
【発明が解決しようとする課題】
【０００３】
しかし、特許文献１に示すような基板の止着構造ではアース効果が非常に小さく、ノイズに弱いという問題がある。また、例えば基板の四隅で止着を行いアースを行っているため、その効果が弱いだけでなく、若干の止着場所の違いや止着加減によって、ノイズ効果にむらが出て、一定の強いアース効果を期待することができなかった。さらに、アース効果を向上させるため、強度の高い止着部材を用いたり、止着部材の数を増やしたりすることが考えられるが、コスト面での問題が生じてしまう。
【０００４】
本発明の目的は、遊技機の動作に関わる電気的制御を実行するための制御回路が設けられた基板を内包する基板ボックスを備えた遊技機において、アース効果を高めることである。
【課題を解決するための手段】
【０００５】
以上の課題を解決するため、請求項１に記載の発明は、遊技機の動作に関わる電気的制御を実行するための制御回路が設けられた基板を内包する基板ボックスを備えた遊技機において、
前記基板は、前記制御回路のグランドをなすグランド部を備え、
前記基板ボックスは、前記グランド部と対向する位置に導電性の材質からなるアース部を備え、
前記グランド部と前記アース部との間に、導電性を有するとともに弾性を有する接続部材を配設し、前記グランド部と前記アース部とを前記接続部材を介して電気的に接続するようにしたことを特徴とする。
【０００６】
ここで、「接続部材」は、例えば、金属製のばね、導電性のゴムやプラスチック、電子機器のＥＭＩ（電磁妨害）対策に用いられる導電性のガスケットを用いることができる。
【０００７】
請求項１に記載の発明によれば、グランド部とアース部との間に、導電性を有するとともに弾性を有する接続部材を配設し、グランド部とアース部とを接続部材を介して電気的に接続するようにしたので、両者を確実に接続できて高いアース効果を得ることができる。また、簡単な構成でグランド部とアース部とを確実に接続できるので、製造のコストや手間を増大させることなく、高いアース効果を得ることができる。
【０００８】
請求項２に記載の発明は、請求項１に記載の遊技機であって、前記グランド部を前記基板の中央部に設けたことを特徴とする。
【０００９】
請求項２に記載の発明によれば、グランド部を基板の中央部に設けたので、基板におけるＩＣが集中する中央部がアース部と接続されることとなり、より高いアース効果が期待できる。
【００１０】
請求項３に記載の発明は、請求項１または２に記載の遊技機であって、前記接続部材は、四角柱状の弾性部材を導電性の被覆部材で被覆したものであり、
前記弾性部材の弾性力により前記被覆部材が前記アース部と前記グランド部とに接し、両者が前記接続部材を介して電気的に接続されることを特徴とする。
【００１１】
請求項３に記載の発明によれば、接続部材は、四角柱状の弾性部材を導電性の被覆部材で被覆したものであり、弾性力により被覆部材がアース部とグランド部とに接し、接続部材を介して電気的に接続されるので、アース部とグランド部を確実に接続できる。すなわち、接続部材が四角柱状であることから、接続部材とアース部、グランド部との接する面積が大きくなり、かつ、弾性力により押し付けられることで、確実に接続できる。
【００１２】
請求項４に記載の発明は、請求項３に記載の遊技機であって、前記接続部材は、前記アース部に接続する面と前記グランド部に接続する面との間に位置する一対の対向する面のそれぞれに、前記アース部に接続する面と前記グランド部に接続する面との中間にあって、前記アース部に接続する面と平行な直線状の屈曲部を有し、
前記接続部材が退縮する際に、該屈曲部が屈曲するとともに前記接続部材の中心側に向かって窪むことを特徴とする。
【００１３】
請求項４に記載の発明によれば、接続部材は、アース部に接続する面とグランド部に接続する面との間に位置する一対の対向する面のそれぞれに、アース部に接続する面と平行な直線状の屈曲部を有し、接続部材が退縮する際に、該屈曲部が屈曲するとともに接続部材の中心側に向かって窪むので、接続部材とアース部、グランド部との接続が確実になる。すなわち、接続部材の退縮による形状の変形が屈曲部のみとなり、接続部材とアース部、グランド部との接続部分が変形することがなく、確実に接続を維持することができる。
また、接続部材の退縮による形状の変形により、アース部に接続する面とグランド部に接続する面との間に位置する面が、接続部材の中心から離れるように外側へ膨出すると、接続部材の周囲を被覆する導電性の被覆部材が回路に接触してしまう虞があるが、接続部材の中心側に向かって窪む屈曲部を設けることでこれを防止できる。
【００１４】
請求項５に記載の発明は、請求項３または４に記載の遊技機であって、前記接続部材は、前記弾性部材がウレタンフォームであり、前記被覆部材が導電性繊維であるガスケット用途の部材であることを特徴とする。
【００１５】
請求項５に記載の発明によれば、接続部材は、弾性部材がウレタンフォームであり、被覆部材が導電性繊維であるガスケット用途の部材であるので、一般的に流通している材料を用いることができる。
【発明の効果】
【００１６】
本発明によれば、グランド部とアース部との間に、導電性を有するとともに弾性を有する接続部材を配設し、グランド部とアース部とを接続部材を介して電気的に接続するようにしたので、両者を確実に接続できて高いアース効果を得ることができる。また、簡単な構成でグランド部とアース部とを確実に接続できるので、製造のコストや手間を増大させることなく、高いアース効果を得ることができる。
【発明を実施するための最良の形態】
【００１７】
以下、この発明の実施形態について図面を参照して説明する。
ここでは、本発明にかかる遊技機の適例としてのパチンコ遊技機について図１から図９を用いて説明を行う。
【００１８】
図１から３に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように大型の表示ユニット１７０を備える裏機構枠１６０の配設を可能としている。
【００１９】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７０を備える裏機構枠１６０とを有する。
【００２０】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２１】
また、前面枠本体１３０の遊技盤１が嵌め込まれた開口部１３１、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁９に囲まれた部分が、遊技球が発射されて流下する第１遊技領域１ａとされている。
【００２２】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の第１遊技領域１ａの前側を開放可能となっている。クリア部材保持枠１４０には、前面枠本体１３０の開口部１３１をほぼ閉塞するように、該開口部１３１に嵌め込まれた遊技盤１との間に遊技球が流下可能な第１遊技領域１ａとなる間隔を開けて二重のガラス板１４１が固定されている。そして、クリア部材保持枠１４０において、遊技機１００の前側からガラス板１４１を介して遊技盤１の前面側の少なくとも第１遊技領域１ａの部分が視認可能となっている。また、クリア部材保持枠１４０の前面であって、ガラス板１４１が固定されて第１遊技領域１ａを視認可能とする部分の周囲には、枠装飾装置としてのランプやＬＥＤ、音声を出力するスピーカなどが設けられている。
【００２３】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００２４】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン１５５が設けられている。また、開閉パネル１５１の下側の下部パネル１５２には、上皿１５３に収容しきれない遊技球を収容する下皿１５４及び灰皿と、第１遊技領域１ａに向けての遊技球の発射操作を行うとともに、該第１遊技領域１ａに遊技球を発射する際の発射勢を調節するための操作ハンドル１５６、音声を出力するスピーカ１５７などが設けられている。
【００２５】
また、図３に示すように、前面枠本体１３０の裏面側であって、遊技盤１が嵌め込まれた開口部１３１の上端部から中央より少し下側にわたる部分には、前面枠本体１３０の裏面側を覆うように裏機構枠１６０が配置されている。裏機構枠１６０の前面の左端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。なお、裏機構枠１６０と前面枠本体１３０の連結部分は着脱自在であって、前面枠本体１３０、裏機構枠１６０はそれぞれユニット単位で交換やメンテナンスが可能となっている。
【００２６】
また、前面枠本体１３０の裏面側であって遊技盤１が嵌め込まれた開口部１３１の下方には、排出装置１９０による賞球の排出、発射装置による遊技球の発射を制御する排出発射制御装置３４、遊技機１００内の各装置に電力を供給する電源回路としての電源供給装置３７が取り付けられている。
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２７】
図１，４に示すように、前面枠本体１３０の開口部１３１に嵌め込まれる遊技盤１は、遊技盤本体１ｂと、遊技盤本体１ｂの裏面側に配される遊技盤裏面構成部材８０とを備える。遊技盤本体１ｂは透明な合成樹脂（例えば、ポリカーボネートやアクリル）からなり、前面には、遊技領域区画壁９で囲まれた第１遊技領域１ａを有し、この第１遊技領域１ａ内に発射装置（図示略）から遊技球（打球；遊技媒体）を発射して遊技を行うようになっている。
【００２８】
遊技盤本体１ｂの前面側には、第１遊技領域１ａを区画する遊技領域区画壁９を備える遊技領域区画部材８，８，…が取り付けられている。この遊技領域区画部材８，８，…は所定の厚みを有し、遊技盤本体１ｂの前面の四隅に配されて第１遊技領域１ａを区画するものであって、遊技盤１の中心側に配される側面が第１遊技領域１ａを区画する遊技領域区画壁９をなしている。また、遊技領域区画部材８，８，…は不透明な材質からなり、第１遊技領域１ａ以外から遊技機１００の内部が見えないようになっている。
【００２９】
さらに、遊技盤本体１ｂの四隅に配された遊技領域区画部材８，８，…には、遊技盤１を前面枠本体１３０に形成された開口部１３１に対して着脱可能とする係合凹部８ｂ、固定凹部８ｃが形成されている。前面側から見て左側の上下にある遊技領域区画部材８，８には、前面枠本体１３０に設けられた係合部材１３２，１３２が係合可能な係合凹部８ｂが形成され、遊技盤１の前面側から見て右側の上下にある遊技領域区画部材８，８には、前面枠本体１３０に設けられた固定部が係合可能な固定凹部８ｃが形成されている。そして、前面枠本体１３０に形成された開口部１３１に対して、前面側から係合凹部８ｂ，８ｂを係合部材１３２，１３２に係合させ、この係合部分を軸として他端部を後方に回動させて開口部１３１に収容し、固定凹部８ｃ，８ｃに固定部１３３，１３３を係合させることで遊技盤１が前面枠本体１３０に固定されるようになっている。
【００３０】
遊技盤１を構成する遊技盤本体１ｂの前面側に形成された第１遊技領域１ａ内には、遊技盤１の装飾や遊技球を流下案内する遊技装置として、普図始動ゲート６、始動入賞口１０および普通変動入賞装置３、特別変動入賞装置４が設けられている。さらに遊技装置として、一般入賞口形成部材１４，１４に設けられた一般入賞口２，２、風車と呼ばれる打球方向変換部材１１，１１、多数の障害釘（図示略）、流下方向規制装置７、入賞口などに入賞しなかった遊技球を回収するアウト口５、ランプ・ＬＥＤなどの遊技盤装飾装置などが設けられている。また、遊技盤本体１ｂの裏面側には、遊技球が流下可能な後述する第２遊技領域２０が設けられ、第１遊技領域１ａには遊技装置として、この第２遊技領域２０への導入口をなすワープ入口１２，１２、第２遊技領域２０からの導出口１３が設けられている。
【００３１】
普図始動ゲート６は遊技球が上下に通過可能なゲートであり、その内部には遊技球の通過を検出するゲートセンサ６ａ（図４に図示）が設けられている。そして、該ゲートセンサ６ａで遊技球が検出されることに基づき普図変動表示ゲームの始動条件が成立するようになっている。また、普図変動表示ゲームは、遊技盤１の前面側に設けられた図示しない普図変動表示器にて表示されるようになっている。さらに、遊技盤１の前面側には、未処理となっている第１普図変動表示ゲームの回数をＬＥＤの点滅で表示する図示しない普図始動記憶表示器が設けられている。
【００３２】
始動入賞口１０および普通変動入賞装置３は第１遊技領域１ａの下部にあって、その内部には遊技球の流入を検出する始動口センサが設けられている。この始動入賞口１０および普通変動入賞装置３は、特図始動入賞口であって、始動口センサで遊技球が検出されることに基づき特図変動表示ゲームの始動条件が成立するようになっている。この特図変動表示ゲームは、遊技盤１の前面側に設けられた図示しない特図変動表示器にて表示されるようになっている。また、遊技盤１の前面側には、未処理となっている特図変動表示ゲームの回数をＬＥＤの点滅で表示する図示しない特図始動記憶表示器が設けられている。
【００３３】
普通変動入賞装置３は左右一対の開閉部材３ａ，３ａを具備し、始動入賞口１０の下部に配設され、この開閉部材３ａ，３ａは、常時は遊技球が流入不能な閉じた状態（遊技者にとって不利な状態）を保持しているが、普図変動表示ゲームの結果が所定の停止表示態様（例えば、「７」）となった場合には、普図の当たりとなって、普通変動入賞装置３の開閉部材３ａ，３ａが所定時間（例えば、０.５秒間）逆「ハ」の字状に開いて普通変動入賞装置３に遊技球が流入し易い状態（遊技者にとって有利な状態）に変化されるようになっている。これにより、特図変動表示ゲームの始動が容易となる。
【００３４】
また、特図変動表示ゲームは、第１遊技領域１ａ内に設けられた特図変動表示器で実行されるが、ここで実行される特図変動表示ゲームに対応する表示ゲームが後述する表示ユニット１７０の画像表示面１７１に表示されるようになっている。この特図変動表示ゲームに対応した表示ゲームの表示領域は、遊技盤本体１ｂの裏面側に配された表示領域区画壁６４，９２、役物装置２５によって区画された領域であって、透明な材質からなる遊技盤本体１ｂを通して、その裏面側に配された表示ユニット１７０の画像表示面１７１を視認可能な領域となっている。なお、遊技機１００に特図変動表示器を備えずに、表示ユニット１７０のみで特図変動表示ゲームを実行するようにしても良い。そして、特図変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面１７１における表示ゲームの表示態様も特別結果態様（例えば、「７，７，７」等のゾロ目数字の何れか）となる。
【００３５】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。なお、開閉扉４ａは、ソレノイド（大入賞口ＳＯＬ）により駆動される。また、大入賞口の内部（入賞領域）には、該大入賞口に入った遊技球を検出するための大入賞口用センサ（カウントセンサ）が配設されている。
【００３６】
一般入賞口形成部材１４，１４は、第１遊技領域１ａの下部に位置する遊技領域区画壁９に沿って配されており、前面側には一般入賞口２，２が形成されている。また、この一般入賞口２，２には、一般入賞口２，２に入った遊技球を検出するための一般入賞口センサが配設されている。また、一般入賞口形成部材１４，１４は、遊技に関連した装飾が施されて一部が光を透過可能に構成されているとともにＬＥＤなどを備えており、遊技盤１の装飾を行う遊技盤装飾装置の一部をなしている。
【００３７】
そして、遊技を開始することにより第１遊技領域１ａ内に打ち込まれた遊技球が、一般入賞口２，２、特図始動入賞口（始動入賞口１０、普通変動入賞装置３）、大入賞口（特別変動入賞装置４）等の入賞口の何れかに入賞すると、それぞれの入賞口に対応した所定数の賞球としての遊技球が排出発射制御装置３４（排出発射制御基板）の制御により排出装置１９０によって上皿１５３に排出される（払い出される）ようになっている。
【００３８】
また、流下方向規制装置７は、第１遊技領域１ａとなる遊技盤本体１ｂの前面に突出するように取り付けられている。この流下方向規制装置７は透光性を有する材質からなる部材で、鎧部７ａとその両端に接続した案内部７ｂ，７ｂとから略コ字状に形成されていて、コ字状の開口部分が下側を向くように第１遊技領域１ａの中央部に配され、第１遊技領域１ａの中央部分を区画するようになっている。これによって、第１遊技領域１ａに発射されて流下する遊技球が第１遊技領域１ａの左右に振り分けられ、第１遊技領域１ａの中央部分における画像表示面１７１の視認性が保たれるようになっている。
【００３９】
この流下方向規制装置７の鎧部７ａは、第１遊技領域１ａの中央部分に対して上側に配されて上方に突出するような円弧状をしており、その上面が中央から左右に下るような傾斜面とされている。このように上面が円弧状となっていることで、第１遊技領域１ａの上方に発射され、流下する遊技球を傾斜に沿って左右に振り分けることができるようになっている。
【００４０】
また、鎧部７ａの端部に連続した案内部７ｂ，７ｂは、第１遊技領域１ａの中央部分に対して左右に配されて下方に向かって延在するようになっている。この案内部７ｂ，７ｂは、鎧部７ａで左右に振り分けられた遊技球が中央部分へ戻らないように下方へ案内するものである。また、この案内部７ｂ，７ｂの下端部にはワープ流路への入口となるワープ入口１２，１２が、流下方向規制装置７の外側（案内部７ｂと、対向する遊技領域区画壁９との間）を流下する遊技球を受け入れ可能に形成されている。また、遊技盤本体１ｂにおけるワープ入口１２，１２が配される部分には、前後に貫通したワープ孔が形成され、ワープ入口１２，１２から流入した遊技球を、遊技盤本体１ｂの裏面側に形成された後述する第２遊技領域２０へ誘導可能とされている。
【００４１】
また、第１遊技領域１ａにおける始動入賞口１０の上側には、後述する第２遊技領域２０からの導出口１３が形成されている。この導出口１３は、遊技盤本体１ｂに形成された前後に貫通した導出孔に導出口形成部材２３を取り付けることで構成されている。この導出口形成部材２３は、遊技盤本体１ｂと略同じ厚みを有し、導出孔に嵌め込まれる部分に導出口１３を形成する筒状の開口２３ａが形成されている。この筒状の開口２３ａの内周面における下側の面（導出口１３の底面）は、後方に配される後述するステージ部材２１の形状に合わせた曲面とされているとともに前側に傾斜するようにされており、ステージ２１ａから前側に誘導された遊技球を第１遊技領域１ａに誘導可能とされている。また、この曲面とされた遊技球が転動する下側の面の下方には、ステージ２１ａの下方に前後方向に沿って延在するように形成された球誘導路２２の下流側端部が形成されている。導出口形成部材２３の前端部に位置する球誘導路２２の下流側端部は、始動入賞口１０の直上に位置するようになっており、ここを流下した遊技球は高い確率で始動入賞口１０に流入するようになっている。
【００４２】
図４に示すように、遊技盤１を構成する遊技盤本体１ｂの裏面側には、遊技盤裏面構成部材８０が取り付けられている。この遊技盤裏面構成部材８０は、上部カバー部材８１、下部カバー部材８２、側部カバー部材８４とから遊技盤本体１ｂの周囲に沿う矩形状に形成され、不透明又は半透明とされた合成樹脂（例えば、ポリカーボネートやＡＢＳ）からなる。この遊技盤裏面構成部材８０の略中央部には、遊技盤本体１ｂに形成された第１遊技領域１ａの大部分と重なるように略矩形状の視認開口８７が形成されている。
【００４３】
上部カバー部材８１は、遊技盤本体１ｂの裏面における上側部分を覆う板状の部材で、左右及び上側の周縁が遊技盤本体１ｂの上側部分における外周に沿うような形状をしている。また、下側の周縁は、遊技盤本体１ｂの前面側に形成された第１遊技領域１ａの周縁をなす遊技領域区画壁９に略沿うように湾曲した形状とされている。この上部カバー部材８１の裏面側には役物装置２５が取り付けられている。すなわち、上部カバー部材８１は役物装置２５の取り付けベースをなす。
【００４４】
役物装置２５はその大部分が、上部カバー部材８１の下側の周縁よりも下側に配されるようになっていて、その前面は遊技盤１の前面側から遊技盤本体１ｂを透して視認可能となっており、この前面には、例えば機種名や装飾図柄などが描かれ、装飾が施された装飾板が配されている。
【００４５】
この役物装置２５は、内部に演出部材と、この演出部材を駆動する駆動装置が設けられており、遊技の進行に合わせて演出部材を視認開口８７に現出させることで、遊技の演出を行うものである。すなわち演出部材は、通常時は役物装置２５の内部に収納された状態となっていて、遊技者からは見えないように機種名などが描かれた装飾板により隠蔽されており、この状態から駆動装置により駆動されて視認開口８７に現出し、遊技者から視認可能となることで演出を行うようになっている。また、この役物装置２５は遊技盤装飾装置の一部をなすものであって、第１演出制御装置４０が第２演出制御装置３１を介して制御するようになっている。また、役物装置２５は所定の前後幅を有し、遊技盤１と表示ユニット１７０の間の上部の隙間から遊技機１００の内部が見えないようにする機能も有する。
【００４６】
下部カバー部材８２は、遊技盤本体１ｂの裏面における下側部分を覆う板状の部材で、左右及び下側の周縁が遊技盤本体１ｂの下側部分における外周に沿うような形状をしている。また、上側の周縁は第１遊技領域１ａに設けられた下部役物装置（普通変動入賞装置３、特別変動入賞装置４、一般入賞口形成部材１４，１４）の後部を覆うことができるように、下部役物装置の配設部位における上縁部に沿う形状とされている。この下部カバー部材８２の裏面側には、下部役物装置の後部を覆う下部覆い部材６０が取り付けられるようになっている。すなわち、下部カバー部材８２は下部覆い部材６０の取り付けベースをなす。
【００４７】
下部覆い部材６０はその前面側に、始動入賞口１０、普通変動入賞装置３、特別変動入賞装置４、一般入賞口２，２などに入賞した遊技球を流下させる入賞球流路を備える。この入賞球流路は、遊技機１００の外部（島設備の回収樋）に連通する図示しない流路に接続するようになっている。また、この下部覆い部材６０の裏面側から見て左側の端部は、上下方向に沿って延在する回動軸を備える連結部６２が形成されており、第２演出制御装置３１が左右方向に扉状に回動可能に軸支されるようになっている。
【００４８】
また、下部覆い部材６０は透明な材質からなり、一部がレンズのように加工されていて、裏面側に配されたＬＥＤ基板（図示略）に備えられたＬＥＤからの光を下部役物装置に向けて誘導する機能も有する。さらに、下部覆い部材６０の上部には着色されて半透明とされた板状の表示領域区画壁６４が形成されており、表示領域を区画するとともに、遊技機１００の内部が見えないようにしている。なお、表示領域区画壁６４の形状は、下部覆い部材６０の前面に配された部材に対応した形状（一部が曲面）とされている。また、表示領域区画壁６４の下側には、ＬＥＤ基板６３が表示領域区画壁６４と平行になるように水平に配設されている。そして、このＬＥＤ基板６３の上面に配されたＬＥＤにより表示領域区画壁６４を下側から照らすことで、その光が半透明の表示領域区画壁６４を介して遊技領域を装飾するようになっている。また、下部覆い部材６０の裏面には、配線を中継するための中継基板が備えられている。また、下部覆い部材６０の裏面側には第２演出制御装置３１が取り付けられ、該第２演出制御装置３１の裏面側には遊技制御装置３０が取り付けられている。
【００４９】
第２演出制御装置３１は、画像データなどを記憶したＲＯＭを備える演出データ基板と、遊技盤装飾装置を駆動するための盤装飾ドライバを備えたドライバ基板を備え、遊技制御装置３０の制御の下で演出の制御を行うものである。この第２演出制御装置３１の裏面側には、第１演出制御装置４０のコネクタ部４４ｄ（図５，７に図示）と直接接続するためのコネクタ部３１ｂが露出している。
【００５０】
また、第２演出制御装置３１の裏面側であってコネクタ部３１ｂの下側となる位置には、第１演出制御装置４０の係合受部４２ｅ，４２ｅに係合する係合部３１ｄ，３１ｄが形成されている。さらに、係合部３１ｄ，３１ｄの外側に隣設する位置には、ねじ止め部３１ｅ，３１ｅが形成され、第１演出制御装置４０に形成されたねじ孔を有する固定部４２ｆ，４２ｆをねじによって固定できるようになっている。これらによって第１演出制御装置４０と第２演出制御装置３１が確実に接続できるようになっている。
【００５１】
また、第２演出制御装置３１の裏面側には、左右方向に沿って延在する回動軸を備える一対の支持部３１ａ，３１ａが形成されており、遊技制御装置３０が、図３に示すように、第２演出制御装置３１の裏面に沿って垂直な状態となる起立状態から、図４に示すように、水平な状態となる傾倒状態までの間で回動可能に軸支されるようになっている。また、遊技を制御する遊技制御装置３０を軸支する支持部３１ａ，３１ａの近傍には、遊技制御装置３０が第１演出制御装置４０の裏面に沿って配された状態、すなわち遊技制御装置３０が起立した状態を保持する保持部材（図示略）が設けられている。すなわち、第２演出制御装置３１の裏面は遊技制御装置３０を取り付けるための台座をなす。
【００５２】
すなわち、機種に依存する演出データ基板を備えた第２演出制御装置３１、遊技制御装置３０は遊技盤１に取り付けられ、複数の機種で共通使用可能な第１演出制御装置４０、排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【００５３】
側部カバー部材８４は、遊技盤本体１ｂの左右それぞれの側端に沿って取り付けられており、上端部が上部カバー部材８１の下端に接して連続するように配されるとともに、下端部が下部カバー部材８２の上端部に接して連続するように配される。さらに、側部カバー部材８４と一体に表示領域区画壁９２を備える側壁部材９０が取り付けられている。
【００５４】
側壁部材９０は、表示領域を区画する表示領域区画壁９２を備え、該表示領域区画壁９２が遊技盤本体１ｂに対して上下方向に延在するとともに後方へ延出するような向きで配される。なお、左右の表示領域区画壁９２は遊技盤本体１ｂに対して略垂直に配されるが、より詳細には、後方へ向かって間隔が狭くなるように若干斜めに配されるようになっている。
【００５５】
この表示領域区画壁９２は、表示領域区画壁９２を通して遊技機１００の内部が透けて見えない程度の半透明とされており、表示領域区画壁９２の外側を前方から隠蔽するように構成されている。また、表示領域区画壁９２の遊技盤本体１ｂの側端側に配される面には波状の凹凸が形成されており、さらに、表示領域区画壁９２の遊技盤本体１ｂの中央側に配される面には、不透明な装飾用のシールが貼付されるようになっており、表示領域区画壁９２を透して遊技機１００の内部が見えないようになっている。
【００５６】
以上のような構成を有する役物装置２５、表示領域区画壁９２，６４によって、遊技盤本体１ｂの裏面側に前後方向に沿った筒状の空間が形成される。この表示領域区画壁９２，６４および役物装置２５は、遊技盤１の後方に配される後述する表示ユニット１７０の画像表示面１７１に近接するように配され（当接はしない）、特図変動表示ゲームに対応した表示ゲームなどの表示領域を区画するようになっている。すなわち、表示ユニット１７０の画像表示面１７１のうち、表示領域区画壁９２，６４および役物装置２５で囲まれた領域が遊技盤１の前面側から視認可能な表示領域（視認領域）となる。これによって、第１遊技領域１ａの大部分に表示ユニット１７０の画像が表示されることとなる。また後述するように、この遊技盤本体１ｂの裏面側における表示領域区画壁９２，６４および役物装置２５で囲まれた領域の一部が、遊技球が流下可能な第２遊技領域２０とされている。
【００５７】
なお、画像表示面１７１の面積は、遊技盤裏面構成部材８０に形成された視認開口８７よりも広いので、視認開口８７から露出する領域に所定の画像が表示されるように第１演出制御装置４０によって制御されている。また、上述したように、表示領域区画壁９２，６４と役物装置２５は、遊技機１００の内部が見えないようにする機能も有しており、これらで囲まれた視認開口８７の外周部分となる領域は遊技盤１の前面側からは見えないようになっている。
【００５８】
また、上部カバー部材８１、下部カバー部材８２の裏面には、遊技盤本体１ｂの左右端部に沿って配される周縁の近傍に後方へ突出する押圧部８３，８３，…が形成されている。この押圧部８３，８３，…は、遊技盤１の裏面側に配される表示ユニット１７０の前面（表示ユニット１７０の外枠をなす表示ユニットケース１７４の前面）に、その後端部が当接するようになっている。表示ユニット１７０は、後述するように付勢部材としての圧縮コイルばねによって前側に付勢されているので、押圧部８３，８３，…と表示ユニット１７０は密着した状態で保持されるようになっている。
【００５９】
また、押圧部８３，８３，…は、所定の前後幅を有しており、押圧部８３，８３，…が表示ユニット１７０の前面に当接することで、遊技盤１と表示ユニット１７０は所定の間隔をおいて平行に配され、両者の間に空間部が形成されるようになっている。なお、押圧部８３，８３，…の前後幅は、上述した表示領域区画壁９２の前後幅よりも若干広くされており、押圧部８３，８３，…が表示ユニット１７０の前面に当接することで、表示領域区画壁９２が画像表示面１７１に近接した位置に配されるようになっている。
【００６０】
このように、遊技盤１に対して表示ユニット１７０が所定の間隔をおいて遊技機１００の奥側に配されるので、表示ユニット１７０と遊技者との距離を確保でき、奥行き感を出すことができるとともに、大型の表示ユニット１７０を用いた場合でも、遊技者にとって見やすい構成とすることができる。また、遊技盤側から入り込む外光によって画像表示面１７１における表示が見にくくなることを防止できる。
【００６１】
また、押圧部８３，８３，…は上部カバー部材８１の裏面、下部カバー部材８２の裏面に形成された基部８３ａと、基部８３ａの後端部にねじによって取り付けられた摩擦係数が低い材質（例えば、ポリアセタール、金属）からなる押圧部材８３ｂとを有している。さらに、上部カバー部材８１、下部カバー部材８２の裏面側から見て右側に位置する押圧部８３，８３の基部８３ａには、押圧部材８３ｂに加え、上下方向に沿った軸を中心に回動可能なローラ８３ｃが、外側に位置する角部に取り付け可能とされている。
【００６２】
表示ユニット１７０の前面に当接する押圧部８３，８３，…がこのような構成を有することで、押圧部８３，８３，…が表示ユニット１７０の前面に当接し、押圧した状態で、容易に適切な位置に移動することができるようになっている。
【００６３】
また、遊技盤本体１ｂの裏面側における表示領域区画壁９２，６４および役物装置２５で囲まれた領域内には、遊技装置としてのステージ部材２１が配されている。このステージ部材２１は透光性を有する材質からなる板状の部材であって、左右の端部は表示領域区画壁９２に一部が支持されるとともに近接して配され、後端部は表示領域区画壁９２の後端部と等しい前後位置に配されている。すなわち、このステージ部材２１によって、表示領域区画壁９２，６４および役物装置２５によって形成された前後方向に沿った筒状の空間が上下に区画されるようになっている。そして、遊技盤１の裏面側に表示ユニット１７０が配されることで、表示ユニット１７０と表示領域区画壁９２、ステージ部材２１および役物装置２５によって囲まれた空間である第２遊技領域２０が遊技盤本体１ｂの裏面側に形成される。このように形成される第２遊技領域２０へは、案内部７ｂ，７ｂに形成されたワープ入口１２，１２に流入した遊技球が誘導されるようになっている。
【００６４】
遊技盤本体１ｂの裏面におけるワープ入口１２，１２と対応する位置には、遊技装置としての遊技球流路形成部材をなすワープ流路形成部材２４，２４が配されている。このワープ流路形成部材２４，２４は透光性を有する材質からなる部材で、ワープ入口１２，１２に流入してワープ孔を通って遊技盤本体１ｂの裏面に至った遊技球を、ステージ部材２１の上面に形成されたステージ２１ａ上に誘導するワープ流路が内部に形成されている。このワープ流路は、遊技球を一列で流下可能な筒状の流路であって、その入口となる上流側端部は遊技盤本体１ｂに形成されたワープ孔に接続しており、ここから遊技盤本体１ｂの裏面に沿って遊技盤本体１ｂの側端方向へ屈曲し、出口となる下流側端部はステージ２１ａの側端部の上方に近接した位置に配されるようになっている。これによって、第１遊技領域１ａに開口したワープ入口１２に流入した遊技球は、ワープ流路を通って第２遊技領域２０におけるステージ部材２１の上面に形成されたステージ２１ａ上を遊技盤１の外側に向かって流下するように誘導されることとなる。このように、ワープ流路からステージの側端方向へ遊技球が排出されるので、ステージ２１ａの端から端まで有効に利用できるようになり、ステージ２１ａ上に一度に多数の遊技球を転動させることが可能となる。
【００６５】
ステージ部材２１は、左右両側が中央に向かって下る傾斜面となっているとともに、中央部が上向きに突出した略Ｗ字状に形成されている。そして、このステージ部材２１の上面が、遊技球が転動するステージ２１ａとされ、遊技球が略Ｗ字状の傾斜に沿って左右に転動するようになっている。また、このステージ部材２１の中央部は、遊技盤本体１ｂに形成された導出口１３の後方に位置するように形成されており、ステージ２１ａは、導出口形成部材２３によって形成された導出口１３の底面に連続するようになっている。これによって、ステージ２１ａ上を転動する遊技球は前側へ誘導され、導出口１３から第１遊技領域１ａへ導出されることとなる。
【００６６】
また、ステージ２１ａの左右方向の中央であって、遊技球が転動する面の下側には、遊技球が流下可能な流路である球誘導路２２の後方部分が形成されている。この球誘導路２２は、前後方向に沿って延在するように形成された遊技球が一個流下可能な内径を有する筒状の流路で、前側に向かって下るように傾斜している。この球誘導路２２の上流側端部はステージ２１ａに開口しており、下流側端部は上述したように、導出口形成部材２３の前端部に開口している。
【００６７】
図２，３、５に示すように、裏機構枠１６０は、裏機構枠本体１６１と、画像を表示する画像表示装置としての表示ユニット１７０を案内するガイド部１６２とを有し、表示ユニット１７０の他、表示ユニット１７０を制御する第１演出制御装置４０、賞球などを排出する排出装置１９０と排出装置１９０に遊技球を供給する貯留タンク１９２が設けられている。
【００６８】
上述したように、裏機構枠１６０の前から見て左側の端部は、前面枠本体１３０の裏面であって遊技機１００の裏面側から見て右側の側部に回動可能に軸支されており、前面枠本体１３０に形成されて遊技盤１が嵌め込まれる開口部１３１を裏面側から覆って遊技盤１の裏面に臨む状態から、後方に扉状に回動して遊技盤１の裏面側を開放する状態との間で回動可能となっている。すなわち、裏機構枠１６０に表示ユニット１７０が配設されることで、表示ユニット１７０は該裏機構枠１６０を介して前面枠１２０側に配設された状態で遊技盤１の後方位置に配設されることとなる。そして、裏機構枠本体１６１において遊技盤１と平行に配され、遊技盤１の裏面側を覆うように配される部分が後面部１６１ａとなる。
【００６９】
図３，５に示すように、裏機構枠本体１６１は所定の厚みを有し、この裏機構枠本体１６１の前後面に種々の機構体が取り付けられている。裏機構枠本体１６１の前面には、表示ユニット１７０を前側に付勢する付勢部材としての圧縮コイルばね（図示略）を収納する後側が閉鎖された筒状の付勢部材収納部１８１（裏面側のみを図示）が形成されている。また、裏機構枠本体１６１の後面部１６１ａの背面には、第１演出制御装置配設部１６５や接続用凹部１８３、流路形成凹部１８４、排出装置配設凹部１８５などの前方に窪んで後方に開口した凹部が形成されており、裏機構枠本体１６１の前面の一部はこれら凹部の裏面によって形成されている。また、裏機構枠本体１６１の前面の周囲には、上下の一部を除いて前側に延出する周囲壁１８７が形成されており、裏機構枠本体１６１の前面側は全体が凹部となっている。
【００７０】
裏機構枠本体１６１の上面には、遊技機１００が設置される図示しない島設備に設けられた供給装置から供給される遊技球を一時貯留し、排出装置１９０に供給する貯留タンク１９２が取り付けられるようになっている。
【００７１】
貯留タンク１９２の底面は、裏機構枠本体１６１の後方に向かって下るとともに、裏機構枠本体１６１の裏面側から見て左方向に下る傾斜を有しており、この傾斜下流側に位置する貯留タンク１９２の底面には、貯留タンク１９２内の遊技球を外部に排出する排出口（図示略）が形成されている。
【００７２】
貯留タンク１９２の排出口は後面部１６１ａの背面に位置しており、図３に示すように、後面部１６１ａの背面に形成された流路形成凹部１８４には、この排出口に連通した導出流路を形成する導出流路形成部材１９５，１９６が取り付けられている。この導出流路は、排出口から排出された遊技球を裏機構枠１６０の右端部へ誘導するとともに、裏機構枠１６０の右端部においてさらに下方へ誘導するように形成されており、その下流側端部は裏機構枠１６０の裏面に設けられた排出装置１９０に接続している。
【００７３】
排出装置１９０は、裏機構枠本体１６１の裏面側から見た右端部における上下方向の略中央に形成された排出装置配設凹部１８５に取り付けられている。この排出装置１９０は、上部に導出流路に接続する遊技球を受け入れる流入口を、下部に下部流路に接続する遊技球を排出する排出口を備えており、排出発射制御装置３４が遊技制御装置３０の制御の下で排出装置１９０を作動させることで、所定数の遊技球を下部流路に排出するようになっている。
【００７４】
排出装置１９０の排出口に接続した下部流路は、裏機構枠１６０の裏面側から見た右端に沿って取り付けられた下部流路形成部材１９７によって形成されており、排出装置１９０から排出された遊技球を下方に誘導するようになっている。この下部流路の下流側端部は、発射操作ユニット１５０の前面に形成された上皿１５３に連通しており、排出装置１９０から排出された所定数の遊技球が上皿１５３に排出されるようになっている。なお、貯留タンク１９２の排出口から排出装置１９０に至る導出流路内には、常に遊技球が待機している状態となっており、排出装置１９０によって導出流路内の遊技球が排出されることに伴って貯留タンク１９２から流路に遊技球が流入するようになっている。
【００７５】
また、図５に示すように、裏機構枠本体１６１の前側には、それぞれコ字状のガイド部１６２，１６２が左右の側面を前側に延長するように取り付けられている。裏機構枠１６０の前面側から見て左側に設けられたガイド部１６２には、上下に軸受け部１６２ａ，１６２ａが形成されており、前面枠本体１３０の裏面側に設けられた上下方向に延在する回動軸（図示略）を軸受け部１６２ａ，１６２ａに回動可能に嵌合することで、裏機構枠１６０が前面枠本体１３０に対して回動可能に軸支されるようになっている。また、裏機構枠１６０の前面側から見て右側に設けられたガイド部１６２には、上下にねじ穴１６２ｄ，１６２ｄが形成されており、裏機構枠１６０を遊技盤１の裏面に配した状態（裏機構枠１６０を閉じた状態）で、ねじ穴１６２ｄ，１６２ｄにねじを挿通し、前面枠本体１３０に形成された図示しないねじ止め部に螺合することで裏機構枠１６０が固定されるようになっている。
【００７６】
そして、後面部１６１ａおよび周囲壁１８７、ガイド部１６２，１６２、貯留タンク１９２によって、所定の奥行きを有するとともに前面側（遊技盤１の裏面に臨む側）に開口した略矩形凹室形状の空間（少なくとも背面と左右側面とを囲まれた空間）が形成され、この空間が表示ユニット１７０を収納する表示ユニット収納部１６８となる。すなわち、ガイド部１６２，１６２は裏機構枠本体１６１における後面部１６１ａの左右端部の各々に設けられ、周囲壁１８７とともに表示ユニット収納部１６８の側面部をなす。
【００７７】
このようなガイド部１６２，１６２を裏機構枠本体１６１に取り付けることによって、表示ユニット収納部１６８の上下にそれぞれ対向するように、ガイド部１６２，１６２から裏機構枠本体１６１にかけて前後方向に沿って延在する溝状の凹部である案内部１６９，１６９，…（図５に一部を図示）が形成される。すなわち、裏機構枠本体１６１とその前側に配されたガイド部１６２，１６２により形成される表示ユニット収納部１６８における上下の内側面の左右に、表示ユニット１７０の上下の側部にそれぞれ設けられるとともに前記上下の側部の左端部及び右端部の合わせて４カ所から外側（上側もしくは下側）に突出する後述の被案内部１７６，１７６，…を前後に移動自在に案内する概略溝状の案内部１６９，１６９，…が設けられることとなる。
【００７８】
以上のように形成される表示ユニット収納部１６８には、画像表示面１７１が前側（開口した側）となるように表示ユニット１７０が配設されており、図２に示すように裏機構枠１６０を遊技盤１の裏面に臨むように配することで、遊技盤１の裏面側に表示ユニット１７０の画像表示面１７１が臨むようになっている。また、このとき、遊技盤１の裏面上部に配された役物装置２５の一部が、この表示ユニット収納部１６８に収納されることとなる。また、図５に示すように、表示ユニット収納部１６８の上部であって、前面側から見て左側の端部には、表示ユニット収納部１６８内の換気を行い、表示ユニット収納部１６８にこもる熱を外部に放出するためのファン２１０を備えた放熱手段２００が設けられている。
【００７９】
表示ユニット１７０は、前面側が開口した矩形箱状（額縁状）に形成された金属製の表示ユニットケース１７４と、この矩形箱状の表示ユニットケース１７４に収容された液晶表示パネル１７５（液晶表示器、バックライトを含む）とを有する。そして、表示ユニットケース１７４の前面側から液晶表示パネル１７５の画像表示面１７１を有する前面が露出している。
【００８０】
表示ユニットケース１７４の上下の側部であって、左端部及び右端部の合わせて４ヶ所からは、側部に対して垂直に外側に突出する被案内部１７６，１７６，…（一部を図５に図示）が設けられている。この被案内部１７６は、摩擦係数が低い材質（例えば、ポリアセタール、金属）からなる被案内部材を、表示ユニットケース１７４の上下部（上下面の左右両端）に固定することで形成されている。また、表示ユニット１７０の下面に設けられた被案内部１７６，１７６は、その下部に滑動体として左右方向に沿った回転軸を有するローラを備えている。
【００８１】
そして、表示ユニット収納部１６８には、この被案内部１７６，１７６，…と対応する位置に前後に延在する溝状の案内部１６９，１６９，…が形成されており、表示ユニット１７０が表示ユニット収納部１６８内において前後動自在に配されることとなる。ここで、被案内部１７６，１７６，…は摩擦係数の低い材質からなり、案内部１６９，１６９，…との間の摩擦抵抗が軽減されるようになっている。また、表示ユニット１７０の下面に設けられた被案内部１７６，１７６は、その下部に滑動体として左右方向に沿った回転軸を有するローラを備えており、さらに、このローラが接する下側の案内部１６９，１６９の底面には、摩擦係数が低い材質からなる平滑な板状のレール部材が配設されている。よって、案内部１６９，１６９，…に対して摩擦係数が低い材質からなる被案内部１７６，１７６，…もしくは回転可能なローラが当接することとなり、さらに、ローラは平滑なレール部材上を移動することから、被案内部と案内部１６９，１６９，…との間の摩擦抵抗が軽減され、表示ユニット１７０が表示ユニット収納部１６８内で円滑に前後移動可能となる。すなわち、表示ユニット収納部１６８は、表示ユニット１７０をスライド可能なスライド空間をなす。
【００８２】
表示ユニットケース１７４の裏面には、表示ユニットケース１７４に収納される液晶表示パネル１７５と、裏機構枠１６０の裏面側に配される第１演出制御装置４０とを接続する配線を通すための、前後に貫通した図示しない配線用開口が形成されている。この配線用開口は、液晶表示パネル１７５の裏面側に設けられたコネクタ部の位置に対応して形成されており、液晶表示パネル１７５を表示ユニットケース１７４に収納すると、この配線用開口からコネクタ部が露出するようになっている。なお、この配線用開口が形成された位置は、表示ユニット１７０を表示ユニット収納部１６８に収納した際に、後面部１６１ａに形成された第１演出制御装置配設部１６５に対応する位置となっており、第１演出制御装置配設部１６５にもこれに対応して配線を挿通する配線用開口（図示略）が形成されている。
【００８３】
また、表示ユニットケース１７４の裏面には、付勢部材としての圧縮コイルばねを取り付けるための取付部（図示略）が形成されている。この取付部が形成された位置は、表示ユニット１７０を裏機構枠１６０に配した際に、裏機構枠本体１６１に形成された付勢部材収納部１８１と対向する位置となっている。そして、表示ユニット１７０と裏機構枠本体１６１の間に配される圧縮コイルばねは、一端が裏機構枠本体１６１に形成された付勢部材収納部１８１に収納され、他端が表示ユニット１７０の後方に形成された取付部に接続するように配され、表示ユニット１７０を前側に付勢するようになっている。
【００８４】
液晶表示パネル１７５は、矩形板状であって表示ユニットケース１７４にちょうど収まる大きさとなっている。この液晶表示パネル１７５は、液晶表示器とバックライトなどから構成され、液晶表示器の画像表示面１７１が、前側に臨むように配されている。
【００８５】
液晶表示器の画像表示面１７１の面積は、前面枠本体１３０に形成された開口部１３１に嵌め込まれた遊技盤１の大部分を裏面側から覆うことができる面積となっており、上述した遊技盤裏面構成部材８０に形成された、遊技盤本体１ｂを透して後方を視認可能な視認開口８７（図４に図示）よりも広いものである。すなわち、画像表示面１７１の面積が、少なくとも遊技盤裏面構成部材８０に形成された視認開口８７よりも広く、遊技盤裏面構成部材８０に形成された視認開口８７の大きさが変化してもそれに対応できるようになっている。このように、液晶表示器の画像表示面１７１が遊技盤１の裏面側を幅広く覆うようにすることで、遊技盤１を交換して遊技機１００の遊技内容を変更する場合に、多種の遊技盤１に対応できるようになっている。
【００８６】
また、液晶表示器は、画像表示面１７１の面積が遊技盤裏面構成部材８０に形成された視認開口８７よりも広いので、遊技盤裏面構成部材８０に形成された視認開口８７から露出する領域に所定の画像が表示されるように第１演出制御装置４０によって制御されている。この画像表示領域を決定する遊技盤１の遊技盤裏面構成部材８０に形成された視認開口８７の大きさや位置に関する初期情報や、変動表示ゲームの画像に関する情報は第２演出制御装置３１の演出データ基板に記憶されているが、第２演出制御装置３１は遊技盤１に取り付けられており、遊技盤１と一緒に第２演出制御装置３１も交換される。よって、遊技盤１の交換に伴い、例えば、これまでの遊技盤に対応した画像表示領域から、新たな遊技盤１に対応した画像表示領域に変更できるようになっている。
【００８７】
また、表示ユニット収納部１６８の上下幅および左右幅は、表示ユニット１７０の上下幅および左右幅よりも大きくなっており、表示ユニット１７０の周囲に空間があいた状態とされる。これによって、表示ユニット１７０の前後方向への移動が容易になるとともに、表示ユニット１７０が表示ユニット収納部１６８内で僅かに傾斜した状態（遊技盤１の左右方向と非平行状態）になることも可能となる。なお、溝状の凹部となった案内部１６９，１６９，…内に被案内部１７６，１７６，…が収納された状態となっているので、表示ユニット１７０が非平行状態になっても被案内部１７６，１７６，…が案内部１６９，１６９，…から脱落することがない。
【００８８】
また、表示ユニット１７０は、圧縮コイルばねにより前方側に向かって付勢された状態となっており、裏機構枠１６０を開放した状態あるいは、遊技盤１を前面枠１２０から取り外した状態では、前後の移動範囲の最も前側の位置に配される。
【００８９】
なお、遊技盤１が装着されて裏機構枠１６０を閉じた状態においては、遊技盤裏面構成部材８０の裏面に設けられて後方に突出する押圧部８３，８３，…が、表示ユニット１７０の前後方向の移動範囲における最も前側の位置より後方に位置するようになっている。よって、押圧部８３の後端部にある押圧部材８３ｂが表示ユニット１７０の前面に密着し、表示ユニット１７０は遊技盤裏面構成部材８０の裏面から押圧部８３，８３，…の突出幅の分だけ後方側へ隔離した位置に配されるようになっている。以上のような構成によって、液晶表示器を備えた表示ユニット１７０は、裏機構枠１６０に前後移動可能に保持されることとなる。
【００９０】
図３に示すように、裏機構枠１６０の後面部１６１ａの背面（裏面）には、前方に窪んで後方に開口した略矩形状の凹部である第１演出制御装置配設部１６５が形成され、ここに第１演出制御装置４０が配設されている。この第１演出制御装置４０はＣＰＵなどを備えた演出制御基板４４を有し、画像表示装置をなす表示ユニット１７０における液晶表示器の表示を制御する表示制御装置をなすものである。
【００９１】
また、後面部１６１ａの背面であって、裏機構枠１６０の裏面側から見て、第１演出制御装置配設部１６５の右側には、第１演出制御装置４０と他の装置等を接続する配線を収納する接続用凹部１８３が形成されている。この接続用凹部１８３の上半部はカバー部材１６６によって覆われ、下半部は遊技制御装置３０によって覆われるようになっている。このように配線を接続用凹部１８３内に収納し、接続用凹部１８３の開口部分をカバー部材１６６および遊技制御装置３０で覆って閉鎖することにより、配線が露出してばらけてしまうことを防止することができる。
【００９２】
図６から９に示すように、この裏機構枠１６０の後面部１６１ａの背面（裏面）に配された第１演出制御装置４０は、画像表示装置をなす表示ユニット１７０における液晶表示器の表示を制御する制御回路が設けられた演出制御基板４４が、基板ボックス４１に収納されたものである。
【００９３】
図８に示すように、基板ボックス４１は、後面側を構成する後面部材４２と、前面側を構成する前面部材４３とからなり、後面部材４２と前面部材４３とを組み合わせることで形成される収納部に演出制御基板４４を収納するようになっている。
【００９４】
後面部材４２は透明な合成樹脂からなり、前側が開口した箱状をしている。この後面部材４２の下側部分は、図４に示すように、遊技制御装置３０を起立した状態としたときにその一部が裏面側に重合して配されるようになっており、図６（ｂ）に示すように、この部分はその厚みの分だけ薄く形成されている。また、図６（ａ）に示すように、この遊技制御装置３０が重合して配される部分には、遊技制御装置３０が起立した状態を保持するための係止受部４２ａ、ロック片４２ｂが形成されている。
【００９５】
係止受部４２ａは、遊技制御装置３０が起立した状態で遊技制御装置３０に形成された係止部３０ａが位置する部分にあって、後面部材４２の裏面から垂直に後方へ延出するとともに、先端部が右側へ直角に屈曲した略Ｌ字状に形成されている。また、ロック片４２ｂは、遊技制御装置３０が起立した状態で遊技制御装置３０に形成されたロック受突起３０ｂが位置する部分にあって、後面部材４２の一部をＵ字型に切り取ることで、上部のみが後面部材４２と連続した板状の部材で、前後に弾性変形可能となっている。この板状のロック片４２ｂは、上下方向に沿った中央で後方に屈曲しており、下端部が後方（基板ボックス４１の外側方向）へ突出してロック受突起３０ｂと係合するようになっている。
【００９６】
また、後面部材４２には演出制御基板４４の裏面側に設けられたコネクタ部４４ａを外部に露出するための開口４２ｃが形成されており、ここから露出したコネクタ部４４ａによって第１演出制御装置４０は他の装置と接続できるようになっている。また、後面部材４２には演出制御基板４４に設けられた音量を調節する音声ボリューム４４ｂを外部に露出するための開口４２ｄが形成されており、ここから露出した音声ボリューム４４ｂが外部から操作可能となっている。
【００９７】
さらに、後面部材４２の下端部には、前後に貫通した矩形状の開口を有する係合受部４２ｅ，４２ｅが形成され、係合受部４２ｅ，４２ｅの外側に隣設する位置には、前後に貫通したねじ孔を有する固定部４２ｆ，４２ｆが形成されている。これらは、第１演出制御装置４０と第２演出制御装置３１とを確実に接続するためのものである。
【００９８】
図７，８に示すように、前面部材４３は金属製で、後面部材４２の前側の開口に嵌る大きさを有する板状の部材である。この前面部材４３には、演出制御基板４４の前面側に設けられたコネクタ部４４ｃを外部に露出するための開口４３ａが形成されており、ここからコネクタ部４４ｃが外部に露出している。この外部に露出したコネクタ部４４ｃには、後面部１６１ａの背面であって、第１演出制御装置配設部１６５が形成された部分に形成された表示ユニット収納部１６８に連通する配線用開口（図示略）を通して液晶表示パネル１７５（液晶表示器、バックライト）からの配線が接続されるようになっている。これによって第１演出制御装置４０と液晶表示パネル１７５が接続されるようになっている。また、この前面部材４３の上下幅は後面部材４２の上下幅よりも狭く、前面部材４３の下端より下側からは、演出制御基板４４の前面側に設けられたコネクタ部４４ｄが前方に向かって露出するようになっている。また、このコネクタ部４４ｄの両端には円柱状の嵌合凸部４４ｅ，４４ｅが形成されている。
【００９９】
以上のような構成を有する第１演出制御装置４０は、その上下幅が第１演出制御装置配設部１６５の上下幅よりも広く、第１演出制御装置配設部１６５にこの第１演出制御装置４０を収容すると、図５に示すように、第１演出制御装置４０の下部が第１演出制御装置配設部１６５の下方に形成された開口部１６３に延出するようになっている。この第１演出制御装置４０の前面側における開口部１６３に延出する下端部には、演出制御基板４４の前面側に設けられたコネクタ部４４ｄが外部に露出している。
【０１００】
上述したように、遊技盤１の裏面には図４に示すように第２演出制御装置３１が取り付けられており、この第２演出制御装置３１の裏面であって、第１演出制御装置４０が取り付けられた第１演出制御装置配設部１６５の下方に位置する部分には、コネクタ部３１ｂが外部に露出している。そして、このコネクタ部３１ｂと第１演出制御装置４０のコネクタ部４４ｄは、互いに対向するように配され、第２演出制御装置３１と第１演出制御装置４０が直接接続できるようになっている。また、コネクタ部４４ｄのコネクタ部３１ｂとの接続面における両端部に形成された、前方へ突出する円柱状の嵌合凸部４４ｅ，４４ｅは、コネクタ部３１ｂのコネクタ部４４ｄとの接続面における両端部に形成された嵌合凹部３１ｃ，３１ｃに嵌合する。これによって、両コネクタ部４４ｄ，３１ｂが正しく接続されるようになっている。
【０１０１】
また、後面部材４２の下端部に形成された前後に貫通した矩形状の開口を有する係合受部４２ｅ，４２ｅには、第２演出制御装置３１の裏面側に形成された係合部３１ｄ，３１ｄが係合するようになっている。さらに、後面部材４２の下端部であって、係合受部４２ｅ，４２ｅの外側に隣設する位置に形成されたねじ孔を有する固定部４２ｆ，４２ｆは、第２演出制御装置３１の裏面側に形成されたねじ止め部３１ｅ，３１ｅにねじによって固定できるようになっている。これらによって第１演出制御装置４０と第２演出制御装置３１が確実に接続できるようになっている。
【０１０２】
さらに、第１演出制御装置４０の裏面に形成された係止受部４２ａは、遊技制御装置３０に形成された板状の係止部３０ａを係止し、遊技制御装置３０の後方への移動を規制する。また、第１演出制御装置４０の裏面に形成されたロック片４２ｂは、遊技制御装置３０に形成されたロック受突起３０ｂと係合し、遊技制御装置３０の上方向への移動を規制する。これらによって、遊技制御装置３０が起立した状態で保持される。
【０１０３】
また、第１演出制御装置４０には、回路で発生するノイズによる障害を防ぐためのアース手段が設けられている。
図６（ｂ）に示すように、基板ボックス４１に収納される演出制御基板４４は、ＣＰＵやＲＯＭなどを備えた制御回路が設けられており、演出制御基板４４の前面部材４３と対向する側の面であって、ＩＣなどが集中する中央部分には、制御回路のグランドをなすグランド部４４ｆが設けられている。このグランド部４４ｆは接点が演出制御基板４４の表面に露出しており、外部から接続可能な状態となっている。すなわち、グランド部４４ｆを基板の中央部に設けたこととなる。
【０１０４】
金属製の前面部材４３における演出制御基板４４と対向する側の面には、このグランド部４４ｆと対向する位置に、接続部材５０が演出制御基板４４に向かって突出するように設けられている。この接続部材５０は、図９に示すように、略四角柱状の弾性部材５１としてのウレタンフォームの周囲を被覆部材５２としての導電性繊維で被覆したもので、一般的にガスケットとして使用されるものである。この接続部材５０は、被覆部材５２で被覆された一側面が、金属製の前面部材４３に導電性の両面テープによって貼り付けられることで取り付けられている。すなわち、接続部材５０と金属製の前面部材４３とは、電気的に接続した状態となっている。
【０１０５】
このように取り付けられた接続部材５０の前面部材４３からの突出幅は、基板ボックス４１に演出制御基板４４を収納した状態における前面部材４３と演出制御基板４４との距離よりも大きいものとされている。よって、基板ボックス４１に演出制御基板４４を収納した状態では、接続部材５０の前面部材４３に取り付けられた面と対向する被覆部材５２で被覆された面が演出制御基板４４のグランド部４４ｆに接触するとともに、弾性部材５１としてのウレタンフォームが退縮し、その弾性力により接続部材５０が演出制御基板４４のグランド部４４ｆに押し付けられるようになる。これによりグランド部４４ｆと接続部材５０とが電気的に接続するようになる。すなわち、基板ボックス４１に演出制御基板４４を収納した状態では、演出制御基板４４のグランド部４４ｆとアース部をなす金属製の前面部材４３が、接続部材５０を介して電気的に接続されるようになっている。
【０１０６】
以上のことから、接続部材５０は、四角柱状の弾性部材５１を導電性の被覆部材５２で被覆したものであり、弾性部材５１の弾性力により被覆部材５２がアース部（金属製の前面部材４３）とグランド部４４ｆとに接し、両者が接続部材５０を介して電気的に接続されるようにしたこととなる。
また、接続部材５０は、弾性部材５１がウレタンフォームであり、被覆部材５２が導電性繊維であるガスケット用途の部材であることとなる。
【０１０７】
また、図９に示すように、接続部材５０は、アース部をなす金属製の前面部材４３に接続する面とグランド部４４ｆに接続する面との間に位置する面のうち、被覆部材５２が被覆された一対の対向する面のそれぞれに、屈曲部５３，５３が形成されている。この屈曲部５３，５３は、アース部をなす金属製の前面部材４３に接続する面とグランド部４４ｆに接続する面との中間にあって、アース部をなす金属製の前面部材４３に接続する面と平行な直線状に形成されており、接続部材５０が退縮した状態で、該屈曲部５３，５３が折れ曲がるように屈曲するとともに、接続部材５０の中心側に向かって窪むようになっている。これにより、接続部材５０の退縮による形状の変形により、アース部をなす金属製の前面部材４３に接続する面とグランド部４４ｆに接続する面との間に位置する面が、接続部材５０の中心から離れるように外側へ膨出することがなく、導電性の被覆部材５２が周辺の回路に接触することがない。
【０１０８】
以上のことから、接続部材５０は、アース部（金属製の前面部材４３）に接続する面とグランド部４４ｆに接続する面との間に位置する一対の対向する面のそれぞれに、アース部に接続する面とグランド部４４ｆに接続する面との中間にあって、アース部に接続する面と平行な直線状の屈曲部５３，５３を有し、接続部材５０が退縮する際に、該屈曲部５３，５３が屈曲するとともに接続部材５０の中心側に向かって窪むようにしたこととなる。
【０１０９】
このように、演出制御基板４４のグランド部４４ｆとアース部をなす金属製の前面部材４３が、接続部材５０を介して電気的に接続されることで、回路で発生するノイズによる障害を確実に防止できるようになっている。
【０１１０】
以上のことから、遊技機１００の動作に関わる電気的制御を実行するための制御回路が設けられた基板（演出制御基板４４）を内包する基板ボックス４１を備えた遊技機１００において、基板は、制御回路のグランドをなすグランド部４４ｆを備え、基板ボックス４１は、グランド部４４ｆと対向する位置に導電性の材質からなるアース部（金属製の前面部材４３）を備え、グランド部４４ｆとアース部との間に、導電性を有するとともに弾性を有する接続部材５０を配設し、グランド部４４ｆとアース部とを接続部材５０を介して電気的に接続するようにしたこととなる。
【０１１１】
なお以上の実施形態においては、接続部材５０として一般的にガスケットとして用いられる部材を使用したが、これに限られるものではなく、四角柱状の弾性部材５１を導電性の被覆部材５２で被覆したものや、金属製のばね、導電性のゴムやプラスチックを用いても良い。
また、アース部をなす金属製の前面部材４３をさらにその他の金属部分にアースするようにしても良い。
また、第１演出制御装置４０以外の制御装置にも上述したようなアース手段を設けるようにしても良い。
【０１１２】
また、遊技盤１は、前面枠１２０に対して前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなり、この際に表示ユニット１７０が後方へ押圧される。また、本実施形態のように遊技盤１を前側から取り付ける構成であっても、メンテナンス等の場合に裏機構枠１６０を開放した場合は、再び裏機構枠１６０を閉鎖する際に表示ユニット１７０が後方へ押圧される。
【０１１３】
また、裏機構枠１６０を開閉可能としたが、遊技盤１を前側から取り付ける構成の場合は、開閉できない裏機構枠１６０であっても良い。また、裏機構枠１６０を別途設けずに、前面枠本体１３０の裏面側に表示ユニット１７０を前後動可能に配するようにしても良い。
【０１１４】
また、遊技盤１は透明な合成樹脂からなるとしたが、少なくとも視認開口８７が設定される部分が透明であれば良く、遊技盤１の全てが透明であっても良いし、一部が透明であっても良い。
【０１１５】
以上のような遊技機１００は、遊技機１００の動作に関わる電気的制御を実行するための制御回路が設けられた基板（演出制御基板４４）を内包する基板ボックス４１を備えた遊技機であって、基板は、制御回路のグランドをなすグランド部４４ｆを備え、基板ボックス４１は、グランド部４４ｆと対向する位置に導電性の材質からなるアース部（金属製の前面部材４３）を備え、グランド部４４ｆとアース部との間に、導電性を有するとともに弾性を有する接続部材５０を配設し、グランド部４４ｆとアース部とを接続部材５０を介して電気的に接続するようにしている。
【０１１６】
したがって、グランド部４４ｆとアース部との間に、導電性を有するとともに弾性を有する接続部材５０を配設し、グランド部４４ｆとアース部とを接続部材５０を介して電気的に接続するようにしたので、両者を確実に接続できて高いアース効果を得ることができる。また、簡単な構成でグランド部４４ｆとアース部とを確実に接続できるので、製造のコストや手間を増大させることなく、高いアース効果を得ることができる。
【０１１７】
また、グランド部４４ｆを基板（演出制御基板４４）の中央部に設けている。
【０１１８】
したがって、グランド部４４ｆを基板の中央部に設けたので、基板におけるＩＣが集中する中央部がアース部と接続されることとなり、より高いアース効果が期待できる。
【０１１９】
また、接続部材５０は、四角柱状の弾性部材５１を導電性の被覆部材５２で被覆したものであり、弾性部材５１の弾性力により被覆部材５２がアース部（金属製の前面部材４３）とグランド部４４ｆとに接し、両者が接続部材５０を介して電気的に接続される。
【０１２０】
したがって、接続部材５０は、四角柱状の弾性部材５１を導電性の被覆部材５２で被覆したものであり、弾性力により被覆部材５２がアース部とグランド部４４ｆとに接し、接続部材５０を介して電気的に接続されるので、アース部とグランド部４４ｆを確実に接続できる。すなわち、接続部材５０が四角柱状であることから、接続部材５０とアース部、グランド部４４ｆとの接する面積が大きくなり、かつ、弾性力により押し付けられることで、確実に接続できる。
【０１２１】
また、接続部材５０は、アース部（金属製の前面部材４３）に接続する面とグランド部４４ｆに接続する面との間に位置する一対の対向する面のそれぞれに、アース部に接続する面とグランド部４４ｆに接続する面との中間にあって、アース部に接続する面と平行な直線状の屈曲部５３，５３を有し、接続部材５０が退縮する際に、該屈曲部５３，５３が屈曲するとともに接続部材５０の中心側に向かって窪むようにしている。
【０１２２】
したがって、接続部材５０は、アース部に接続する面とグランド部４４ｆに接続する面との間に位置する一対の対向する面のそれぞれに、アース部に接続する面と平行な直線状の屈曲部５３，５３を有し、接続部材５０が退縮する際に、該屈曲部５３，５３が屈曲するとともに接続部材５０の中心側に向かって窪むので、接続部材５０とアース部、グランド部４４ｆとの接続が確実になる。すなわち、接続部材５０の退縮による形状の変形が屈曲部５３，５３のみとなり、接続部材５０とアース部、グランド部４４ｆとの接続部分が変形することがなく、確実に接続を維持することができる。
また、接続部材５０の退縮による形状の変形により、アース部に接続する面とグランド部４４ｆに接続する面との間に位置する面が、接続部材５０の中心から離れるように外側へ膨出すると、接続部材５０の周囲を被覆する導電性の被覆部材５２が回路に接触してしまう虞があるが、接続部材５０の中心側に向かって窪む屈曲部５３，５３を設けることでこれを防止できる。
【０１２３】
また、接続部材５０は、弾性部材５１がウレタンフォームであり、被覆部材５２が導電性繊維であるガスケット用途の部材である。
【０１２４】
したがって、接続部材５０は、弾性部材５１がウレタンフォームであり、被覆部材５２が導電性繊維であるガスケット用途の部材であるので、一般的に流通している材料を用いることができる。
【０１２５】
なお、本発明の遊技機は、遊技機として、前記実施の形態に示されるようなパチンコ遊技機に限られるものではなく、例えば、その他のパチンコ遊技機、アレンジボール遊技機、雀球遊技機、パチスロ遊技機などの制御基板を有する全ての遊技機に適用可能である。
【０１２６】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２７】
【図１】本発明を適用した一実施の形態の構成を示す遊技機の前面側から見た斜視図であって、透明部材保持枠を開放した様子を示す図である。
【図２】遊技盤を取り外した遊技機の前面側から見た斜視図であって、透明部材保持枠を開放した様子を示す図である。
【図３】遊技機の裏面側を示す斜視図である。
【図４】遊技盤の裏面側を示す斜視図である。
【図５】裏機構枠の前面下側から見た斜視図である。
【図６】（ａ）第１演出制御装置の背面図、（ｂ）（ａ）に示すＡ−Ａ断面における断面図である。
【図７】第１演出制御装置の前面側から見た斜視図である。
【図８】第１演出制御装置の裏面側から見た分解斜視図である。
【図９】第１演出制御装置における接続部材が設けられた部分を示す上部断面図である。
【符号の説明】
【０１２８】
４１    基板ボックス
４３    前面部材（アース部）
４４    演出制御基板（基板）
４４ｆ  グランド部
５０    接続部材
５１    弾性部材
５２    被覆部材
５３    屈曲部
１００  遊技機
【図１】
2008148732.tif 000003
【図２】
2008148732.tif 000004
【図３】
2008148732.tif 000005
【図４】
2008148732.tif 000006
【図５】
2008148732.tif 000007
【図６】
2008148732.tif 000008
【図７】
2008148732.tif 000009
【図８】
2008148732.tif 000010
【図９】
2008148732.tif 000011